(57)【要約】【課題】分光手段が搭載され特性の安定した光部品を提供すること。【解決手段】入力側光ファイバから入力される光を分光手段で分光し、出力側光ファイバに出力する光部品であって、出力側光ファイバに出力されない光を熱に変換して吸収する吸光手段と、この熱の放熱手段を有することにより、或いは出力側光ファイバに出力されない光を、分光手段を収納する容器の外に導出させることにより、光部品の発熱が抑えられ、発熱による部品の劣化・損傷、温度変化による光学特性の変動を抑えられる。よって、信頼性が高くかつ性能の安定した光部品を提供することが可能となる。【選択図】        図１
2004184883.tif 000002
【特許請求の範囲】
【請求項１】
入力側光ファイバから入力される光を分光手段で分光し、出力側光ファイバに出力する光部品であって、出力側光ファイバに出力されない光を熱に変換して吸収する吸光手段と、この熱の放熱手段を有することを特徴とする光部品。
【請求項２】
入力側光ファイバから入力される光を分光手段で分光し、出力側光ファイバに出力する光部品であって、出力側光ファイバに出力されない光を、分光手段を収納する容器の外に導出させることを特徴とする光部品。
【請求項３】
前記出力側光ファイバに出力されない光を、導出用光ファイバによって伝送し、前記容器の外に導出させることを特徴とする請求項２記載の光部品。
【請求項４】
前記容器の外に導出させた前記出力側光ファイバに出力されない光を、複数に分岐させることを特徴とする請求項３記載の光部品。
【請求項５】
前記出力側光ファイバに出力されない光を熱に変換して吸収する吸光手段と、この熱の放熱手段を有することを特徴とする請求項３および請求項４の何れかに記載の光部品。
【発明の詳細な説明】
【０００１】
【発明が属する技術分野】
本発明は、光ファイバによる光伝送就中ラマン増幅器、高出力希土類ファイバ増幅器、高出力ＡＳＥ光源、高出力ファイバレーザ等に使用される光フィルタ等の分光手段を搭載した光部品に関するものである。
【０００２】
【従来の技術】
近年、光通信において波長多重伝送の進展に伴い、伝送される光の広帯域化、多波長化が進展しており、１波長当りの光パワーが同じであれば光ファイバ１芯で伝送される光パワーは光ファイバ１芯内を伝送される波長数に応じて増えるため、多波長化による高出力化が進展している。それ故、波長多重光学装置内或いは光学装置間において、耐高出力かつ広帯域なさまざまなタイプの光フィルタ等の分光手段、および分光手段が搭載された光部品が開発されている。
【０００３】
【特許文献１】
特開平９−６１６１２号公報
【０００４】
【発明が解決しようとする課題】
光フィルタ等の分光手段および分光手段が搭載された光部品においては、特許文献１に記載の通り、出力側光ファイバに出力されない光は出力側光ファイバに入射する光路から逃れて除去されるように構成されていた。しかし、高出力ＥＤＦＡ等での使用の場合に光路から逃れて除去された光が高出力であることが考えられ、その場合光が吸収され熱に変換される際に発熱し、その発熱によって光フィルタ等の分光手段或いは分光手段が搭載された光部品の特定領域の温度が上昇する。そのため、光フィルタ等の分光手段或いは分光手段が搭載された光部品の一部が損傷する、または光フィルタ等の分光手段の光学特性が変動する、さらには光部品が燃焼する等の不具合が生じることが考えられ、その解決が望まれている。
【０００５】
従って本発明は上記の問題に鑑み、光フィルタ等の分光手段が搭載された光部品であって、信頼性が高くかつ性能の安定した光部品を提供することを目的としている。
【０００６】
【課題を解決するための手段】
上記の問題を解決するため、本発明のうち請求項１の光部品においては、入力側光ファイバから入力される光を分光手段で分光し、出力側光ファイバに出力する光部品であって、出力側光ファイバに出力されない光を熱に変換して吸収する吸光手段と、この熱の放熱手段を有することを特徴としている。
【０００７】
また、本発明のうち請求項２の光部品においては、入力側光ファイバから入力される光を分光手段で分光し出力光ファイバに出力する光部品であって、出力側光ファイバに出力されない光を、分光手段を収納する容器の外に導出させることを特徴としている。
【０００８】
さらに、本発明のうち請求項３においては、請求項２記載の光部品において、前記出力側光ファイバに出力されない光を、導出用光ファイバによって伝送し、前記容器の外に導出させることを特徴としている。
【０００９】
本発明のうち請求項４においては、請求項３記載の光部品において、前記容器の外に導出させた前記出力側光ファイバに出力されない光を、複数に分岐させることを特徴としている。
【００１０】
そして、本発明のうち請求項５においては、請求項３および請求項４の何れかに記載の光部品において、前記出力側光ファイバに出力されない光を熱に変換して吸収する吸光手段と、この熱の放熱手段を有することを特徴としている。
【００１１】
【作用】
本発明は、入力側光ファイバから入力される光を分光手段で分光し、出力側光ファイバに出力する光部品であって、出力側光ファイバに出力されない光を熱に変換して吸収する吸光手段と、この熱の放熱手段を有することにより、或いは出力側光ファイバに出力されない光を、分光手段を収納する容器の外に導出させることにより、光部品の発熱が抑えられ、発熱による部品の劣化・損傷、温度変化による光学特性の変動を抑えられる。
【００１２】
【発明の実施の形態】
以下、図面に基づいて本発明の実施形態を説明する。
図１は本発明の一実施形態における光部品の断面図を示している。１は光部品、以下その構成部品であり、１１が入力側光ファイバ、１２が出力側光ファイバ、１３が容器、１４が分光手段、１５が吸光手段、１６が放熱手段を示している。本実施例では、入力側光ファイバ１１から入力された光は分光手段１４で分光され、出力側光ファイバ１２から出力される。出力側光ファイバから出力されない光は分光手段１４によって、出力側光ファイバとは別方向かつ吸光手段１５の方向に出射されることにより、吸光手段１５に受光されそこで吸収される。吸収されると光は熱となり発熱するが生じた熱は放熱手段１６により容器１３外に放出される。出力側光ファイバから出力されない光のパワーとしては連続光であれば１００ｍＷ以上例えば１ｋＷが、パルス光であれば１ｋＷ以上例えば１００ｋＷが例示される。また、容器１３のサイズ・形状はどのようなであっても構わないが、光伝送装置への内蔵に好適なサイズとして、φ６ｍｍ×Ｌ５０ｍｍの円筒形状が例示される。
【００１３】
ここで、分光手段１４は波長毎に異なる導光率を有するフィルタ例えば光増幅器における利得等価フィルタ或いはＡＳＥ除去フィルタであっても良いし、同一波長の光を分波して一部だけ出力側光ファイバに出力するいわゆる光アッテネータであっても良い。また、光ファイバを溶融延伸して成される光ファイバカプラであっても良い。なお、図示は省略するが、電気的、機械的或いは磁気的な出力調整機能によって、各波長の光の出力を可変できる機能が付加されていても良い。
【００１４】
放熱手段１６には放熱用に穴が開けられていても良いし、放熱用フィンがつけられていても良い。さらに放熱用フィンに送風して放熱を促進することが好適であるため、光部品にファンが取り付けられていても良い。放熱手段１６が容器１３と一体化されて、容器１３全体で放熱しても良い。放熱手段１６の材質としては放熱性のいい材質特に金属就中アルミニウムが好適である。
【００１５】
吸光手段１５としては、放熱手段１６において出力側光ファイバから出力されない光が照射される部分に、光が吸収されやすいように塗料等で黒色に着色されて成すものであってもよいし、放熱手段１６上に吸光性の良い材質例えばゴム等を貼り付けて成すものであっても良い。図示は省略するが、出力側光ファイバから出力されない光が複数の方向に照射されるのであれば、照射される方向毎に吸光手段を配置し、吸光手段によって受光できるようにすることが好ましい。すなわち、吸光手段は複数となる。そのとき、吸光手段毎に接する複数の放熱手段或いは複数の吸光手段全てに接する単一の放熱手段によって放熱されることが望ましい。
【００１６】
図２は、本発明の別の実施形態における光部品の断面図を示している。１１〜１４が図１と同じ構成要素を示し、１７が導出用光ファイバ、１８が光分岐器、１９が分岐用光ファイバ、１５’が分岐用光ファイバ１９に接続された吸光手段、１６’が放熱手段を示している。なお、１１〜１４、１７〜１９、１５’、１６’全てを含む光部品が１であることを示している。本実施例では、入力側光ファイバ１１から入力された光が分光手段１４で分光され、出力側光ファイバ１２から出力されるのは図１と同じであるが、出力側光ファイバから出力されない光は導出用光ファイバ１７で容器１３外に導光され、光分岐器１８でその光が分岐され、分岐された後、分岐用ファイバ１９で導光され、最後に吸光手段１５’に導光されることによって吸収或いは散乱させて終端されている。終端部分である吸光手段１５’で生じる熱は放熱手段１６’によって放出される。本実施例においては吸光手段によって光から熱に変換され放熱手段によって放熱されるのは図１と同様であるが、出力側光ファイバから出力されない光の一部が容器１３外に導光されることで、終端部分での発熱による分光手段１４への影響が少なくなる。また、導出用光ファイバ１７で導光されることで、途中で熱を発生させることなく終端部分まで導光できるため、発熱による分光手段１４への影響が少なくなる。さらには、分岐されている分だけ出力が小さくなるため１終端当たりの熱は小さくなり、終端部分の温度の上昇が抑えられ、発熱による分光手段１４への影響が少なくなる。
【００１７】
図２においては、光分岐器１８において３つに分岐しているが、３つに限定されず、２以上であれば分岐と謂え、例えば１６分岐、３２分岐が挙げられる。また、出力によっては分岐する必要がなく、光分岐器１８が省かれ、導出用光ファイバ１７が直接吸光手段１５’に接続される場合が挙げられる。また、接続される吸光手段１５’を省いて、導出用光ファイバ１７の先を吸光剤である接着剤に導入し、接着剤の樹脂内で散乱を繰り返すことにより吸収させても良い。さらには、導出用光ファイバ１７を省いたとしても、出力側光ファイバに出力されない光を分光手段を収納する容器の外に導出させておけば、分光手段１４への発熱の影響を防ぐことができ、分光手段の光学特性を安定させることができる。この場合の例としては、分岐手段１４から出射される出力側光ファイバに出力されない光が通過可能なスリットを容器１３に設けることが挙げられる。ただし、容器外に放出される光が他の部品に影響を与えないよう、部品配置等に注意すべきである。
【００１８】
【発明の効果】
以上説明したように本発明によれば、入力側光ファイバから入力される光を分光手段で分光し、出力側光ファイバに出力する光部品であって、出力側光ファイバに出力されない光を熱に変換して吸収する吸光手段と、この熱の放熱手段を有することにより、或いは出力側光ファイバに出力されない光を、分光手段を収納する容器の外に導出させることにより、光部品の発熱が抑えられ、発熱による部品の劣化・損傷、温度変化による光学特性の変動を抑えられる。よって、信頼性が高くかつ性能の安定した光部品を提供することが可能となる。
【図面の簡単な説明】
【図  １】本発明に係わる光部品の断面図である。
【図  ２】本発明に係わる別の光部品の断面図である。
【符号の説明】
１          ・・・光部品
１１        ・・・入力側光ファイバ
１２        ・・・出力側光ファイバ
１３        ・・・容器
１４        ・・・分光手段
１５、１５’・・・吸光手段
１６、１６’・・・放熱手段
１７        ・・・導出用光ファイバ
１８        ・・・光分岐器
１９        ・・・分岐用光ファイバ
【図１】
2004184883.tif 000003
【図２】
2004184883.tif 000004